【手続補正書】
【提出日】平成19年2月19日(2007.2.19)
【手続補正１】
【補正対象書類名】特許請求の範囲
【補正対象項目名】全文
【補正方法】変更
【補正の内容】
【特許請求の範囲】
【請求項１】
無線通信システムであって、
ネットワークと、
前記ネットワークに接続された第一の基地局と、
無線通信リンクを経由して前記基地局に接続された移動局とを備え、
前記ネットワークは、前記移動局に対して、ソフトハンドオフ状態に入るか、又はソフトハンドオフ状態を出るかを命令するように構成され、
前記ネットワークが前記移動局に対してソフトハンドオフに入るか、又はソフトハンドオフを出るかを命令したことに応答して、前記移動局が、送信パラメータのセットを修正するように構成されている無線通信システム。
【請求項２】
前記送信パラメータはフレームサイズを含んでおり、前記移動局がソフトハンドオフに入るように命令されたのであれば、前記フレームサイズが第一のサイズに設定され、前記移動局がソフトハンドオフを出るように命令されたのであれば、前記フレームサイズが第二のサイズに設定される請求項１に記載の無線通信システム。
【請求項３】
前記第一のサイズは、前記第二のサイズよりも大きい請求項２に記載の無線通信システム。
【請求項４】
前記第一のサイズは１０ミリ秒であり、前記第二のサイズは２ミリ秒である請求項３に記載の無線通信システム。
【請求項５】
前記移動局は、前記第一の基地局を含む一つ又は複数の基地局の各々についてパイロット信号強度を測定し、一つ又は複数のパイロット強度測定メッセージを前記ネットワークに定期的に送信するように構成されている請求項１に記載の無線通信システム。
【請求項６】
前記ネットワークは、前記パイロット強度測定メッセージに基づいて、前記移動局についてのアクティブセット内の基地局の数の変化を識別し、前記アクティブセット内の基地局の数の変化に基づいて、前記移動局に対して、ソフトハンドオフに入るか、又はソフトハンドオフを出るかを命令するように構成されている請求項５に記載の無線通信システム。
【請求項７】
前記ネットワークは、ハンドオフ命令メッセージ（ＨＤＭ）を前記移動局に送ることによって、前記移動局に対して、ソフトハンドオフに入るか、又はソフトハンドオフを出るかを命令するように構成されている請求項６に記載の無線通信システム。
【請求項８】
前記移動局は、前記ネットワークから前記ハンドオフ命令メッセージ（ＨＤＭ）を受信することに応答して、前記送信パラメータを修正するように構成されている請求項７に記載の無線通信システム。
【請求項９】
前記移動局は、前記ハンドオフ命令メッセージ（ＨＤＭ）の受信後、ハンドオフ完了メッセージを前記ネットワークに送信するように構成されている請求項８に記載の無線通信システム。
【請求項１０】
無線通信システムにおいて動作するように構成された移動局であって、
処理サブシステムと、
トランシーバサブシステムとを備え、
前記処理サブシステムは、前記移動局がソフトハンドオフに入るか、又はソフトハンドオフを出るかを検出することに応答して、前記トランシーバサブシステムのための送信パラメータを設定するように構成されている移動局。
【請求項１１】
前記処理サブシステムは、受信したハンドオフ命令メッセージ（ＨＤＭ）に基づいて、移動局がソフトハンドオフに入るか、又はソフトハンドオフを出ることを検出するように構成されている請求項１０に記載の移動局。
【請求項１２】
前記処理サブシステムは、前記ハンドオフ命令メッセージ（ＨＤＭ）が前記移動局に対してソフトハンドオフに入るように命令すると、前記送信パラメータを第一の値に設定し、前記ハンドオフ命令メッセージ（ＨＤＭ）が前記移動局に対してソフトハンドオフを出るように命令すると、前記送信パラメータを第二の値に設定するように構成されている請求項１１に記載の移動局。
【請求項１３】
前記送信パラメータはフレームサイズを含む請求項１２に記載の移動局。
【請求項１４】
前記第一のサイズは、前記第二のサイズよりも大きい請求項１３に記載の移動局。
【請求項１５】
前記第一のサイズは１０ミリ秒であり、前記第二のサイズは２ミリ秒である請求項１４に記載の移動局。
【請求項１６】
一つ又は複数の基地局の各々についてのパイロット信号強度を測定することと、一つ又は複数のパイロット強度測定メッセージを、前記基地局に接続されたネットワークに定期的に送信することとを更に備える請求項１１に記載の移動局。
【請求項１７】
前記ハンドオフ命令メッセージ（ＨＤＭ）の受信後、ハンドオフ完了メッセージを前記ネットワークに送信することを更に備える請求項１６に記載の移動局。
【請求項１８】
無線通信システムで実施される方法であって、
移動局がソフトハンドオフに入るか、又はソフトハンドオフを出るかを検出することと、
前記移動局がソフトハンドオフに入るか、又はソフトハンドオフを出るかを検出することに応答して、前記移動局のための送信パラメータを修正することとを備える方法。
【請求項１９】
前記送信パラメータはフレームサイズを含んでおり、前記移動局が、ソフトハンドオフに入ることを検出された場合には、前記フレームサイズが第一のサイズに設定され、前記移動局が、ソフトハンドオフを出ることを検出された場合には、前記フレームサイズが第二のサイズに設定される請求項１８に記載の方法。
【請求項２０】
前記第一のサイズは、前記第二のサイズよりも大きい請求項１９に記載の方法。
【請求項２１】
前記第一のサイズは１０ミリ秒であり、前記第二のサイズは２ミリ秒である請求項２０に記載の方法。
【請求項２２】
前記移動局が、一つ又は複数の基地局の各々についてのパイロット信号強度を測定することと、一つ又は複数のパイロット強度測定メッセージを定期的にネットワークに送信することとを更に備える請求項１８に記載の方法。
【請求項２３】
前記移動局がソフトハンドオフに入るか、又はソフトハンドオフを出ることを検出することは、前記パイロット強度測定メッセージに基づいて前記移動局のためのアクティブセット内の基地局の数の変化を識別することを備える請求項２２に記載の方法。
【請求項２４】
アクティブセット内の基地局の数の変化を検出することに応答して、ハンドオフ命令メッセージ（ＨＤＭ）を前記ネットワークから前記移動局へ送信することを更に備える請求項２３に記載の方法。
【請求項２５】
前記移動局のための前記送信パラメータを修正することは、前記ネットワークから前記ハンドオフ命令メッセージ（ＨＤＭ）を受信することに応答して実行される請求項２４に記載の方法。
【請求項２６】
前記ハンドオフ命令メッセージ（ＨＤＭ）の受信後、前記移動局から前記ネットワークへとハンドオフ完了メッセージを送信することを更に備える請求項２５に記載の方法。
【請求項２７】
移動局内で実施される方法であって、
前記移動局がソフトハンドオフに入ることか、又はソフトハンドオフを出ることを検出することと、
前記移動局がソフトハンドオフに入る場合には、送信パラメータを第一の値に設定することと、
前記移動局がソフトハンドオフを出る場合には、送信パラメータを第二の値に設定することとを備える方法。
【請求項２８】
前記移動局がソフトハンドオフに入ることか、又はソフトハンドオフを出ることを検出することは、前記ネットワークからハンドオフ命令メッセージ（ＨＤＭ）を受信することを備える請求項２７に記載の方法。
【請求項２９】
一つ又は複数の基地局の各々についてのパイロット信号強度を測定することと、一つ又は複数のパイロット強度測定メッセージを定期的に前記基地局のうちの第一の一つに送信することとを更に備える請求項２７に記載の方法。
【請求項３０】
前記ハンドオフ命令メッセージ（ＨＤＭ）の受信後、前記基地局のうちの前記第一の一つにハンドオフ完了メッセージを送信することを更に備える請求項２９に記載の方法。
【請求項３１】
前記送信パラメータはフレームサイズを含む請求項２７に記載の方法。
【請求項３２】
前記第一の値は、前記第二の値よりも大きい請求項３１に記載の方法。
【請求項３３】
前記第一の値は１０ミリ秒であり、前記第二の値は２ミリ秒である請求項３２に記載の方法。